(57)【要約】【課題】簡単な構造でスピーカ装置の放音側に保護部材を設ける際にガタツキ音を防止すること、保護部材の装飾性を向上すること、接着剤の塗布量が少ない場合であっても確実に保護部材を固定すること、接着剤の量を低減すること等。【解決手段】振動板３２１の外周部を支持するとともに振動板３２１を駆動するボイスコイル３２３が磁気間隙３１０に配置される磁気回路３１を内蔵するスピーカフレーム３３と、スピーカフレーム３３の放音側に配置される保護部材３４とを有するスピーカ装置３であって、保護部材３４は、リング状又は略円弧状に形成された装飾部材３４１及び保護カバー３４２を有し、スピーカフレーム３３と保護カバー３４２とが嵌合されるとともに、少なくとも装飾部材３４１の一部が、スピーカフレーム３３と保護カバー３４２の間に狭持されていることを特徴とする。【選択図】図７
2007300176.tif 000002
【特許請求の範囲】
【請求項１】
振動板の外周部を支持するとともに当該振動板を駆動するボイスコイルが磁気間隙に配置される磁気回路を内蔵するスピーカフレームと、前記スピーカフレームの放音側に配置される保護部材とを有するスピーカ装置であって、
前記保護部材は、リング状又は略円弧状に形成された装飾部材及び保護カバーを有し、
前記スピーカフレームと前記保護カバーとが嵌合されるとともに、少なくとも前記装飾部材の一部が、前記スピーカフレームと前記保護カバーの間に狭持されていることを特徴とするスピーカ装置。
【請求項２】
前記装飾部材は、前記スピーカフレームの外周部の放音側上面部に配置される平坦部と、当該平坦部の外周から背面側に屈曲するとともに前記スピーカフレームの外周部の側面部の全部又は一部を覆う側面部とを備え、
前記保護カバーは、背面側に突出して形成された係合爪部と、前記装飾部材の平坦部に対応する位置に形成された平坦部とを備え、
前記スピーカフレームは、前記係合爪部に対応する位置に嵌合孔部を備え、
前記スピーカフレームの外周部の前記平坦部と、前記保護カバーの平坦部とにより、前記装飾部材の平坦部を狭持するとともに、前記保護カバーの係合爪部と前記スピーカフレームの嵌合孔部が嵌合する固定機構により、前記保護部材と前記スピーカフレームが固定されていることを特徴とする請求項１に記載のスピーカ装置。
【請求項３】
前記保護カバーは、前記装飾部材の放音側上部から径方向外側に向かって延出するとともに、背面側に向かって屈曲した屈曲部を備え、
前記保護カバーの屈曲部と前記スピーカフレームの外周部との間に、前記装飾部材を狭持することを特徴とする請求項２に記載のスピーカ装置。
【請求項４】
前記保護カバーは、前記振動板から放射された音を所定方向に反射させる反射部を備えることを特徴とする請求項１から請求項３のいずれかに記載のスピーカ装置。
【請求項５】
前記スピーカフレームと前記装飾部材は、接着剤により接合されていることを特徴とする請求項１から請求項４のいずれかに記載のスピーカ装置。
【請求項６】
前記装飾部材は、金属材料を含むとともに外側表面に装飾面が形成されていることを特徴とする請求項１から請求項５のいずれかに記載のスピーカ装置。
【請求項７】
前記保護カバーは樹脂材料からなることを特徴とする請求項１から請求項６のいずれかに記載のスピーカ装置。
【請求項８】
メインスピーカユニットの放音側にツィータ部を配置したスピーカ装置であって、
前記ツィータ部は、振動板の外周部を支持するとともに当該振動板を駆動するボイスコイルが磁気間隙に配置される磁気回路を内蔵するスピーカフレームと、前記スピーカフレームの放音側に配置される保護部材とを備え、
前記保護部材は、リング状又は略円弧状に形成された装飾部材及び保護カバーを有し、
前記スピーカフレームと前記保護カバーとが嵌合されるとともに、少なくとも前記装飾部材の一部が、前記スピーカフレームと前記保護カバーの間に狭持されていることを特徴とするスピーカ装置。
【請求項９】
前記装飾部材は、前記スピーカフレームの外周部の放音側上面部に配置される平坦部と、当該平坦部の外周から背面側に屈曲するとともに前記スピーカフレームの外周部の側面部の全部又は一部を覆う側面部とを備え、
前記保護カバーは、背面側に突出して形成された係合爪部と、前記装飾部材の平坦部に対応する位置に形成された平坦部とを備え、
前記スピーカフレームは、前記係合爪部に対応する位置に嵌合孔部を備え、
前記スピーカフレームの外周部の前記平坦部と、前記保護カバーの平坦部とにより、前記装飾部材の平坦部を狭持するとともに、前記保護カバーの係合爪部と前記スピーカフレームの嵌合孔部が嵌合する固定機構により、前記保護部材と前記スピーカフレームが固定されていることを特徴とする請求項８に記載のスピーカ装置。
【請求項１０】
前記保護カバーは、前記振動板から放射された音を所定方向に反射させる反射部を備えることを特徴とする請求項８又は請求項９に記載のスピーカ装置。
【請求項１１】
前記ツィータ部のスピーカフレームは、前記メインスピーカユニットに連結部材により回転自在に連結されていることを特徴とする請求項８から請求項１０のいずれかに記載のスピーカ装置。
【発明の詳細な説明】
【技術分野】
【０００１】
本発明は、スピーカ装置に関するものである。
【背景技術】
【０００２】
一般的にスピーカ装置には、高音質の音を再生することが要求されるばかりでなく、ユーザの目に見える部分の装飾性も要求される。そのためスピーカの放音側に配置されるとともに振動板等を保護する保護部材にも装飾性が要求される。
このような保護部材としては、例えば特許文献１に開示されているように、多数の小孔を形成した網目状部と、網目状部の外周に形成したリング状の凹部と、その凹部の外周に表面を装飾面として形成された装飾部とを備えるスピーカ用の保護部材が知られている。
【０００３】
【特許文献１】特開２００１−３６９８３号公報
【発明の開示】
【発明が解決しようとする課題】
【０００４】
しかし、上述したスピーカでは、保護部材は接着剤にてスピーカフレームに接合されており、例えば接着剤の塗布量が規定量より多いと、接着剤が外観部分にはみ出して露出してしまい外観が損なわれる。また接着剤の塗布量が規定量より少ないと接着力が低くなり、放音時にスピーカフレームと保護部材間でガタツキ音が発生する場合がある。また接着力が弱い状態で保護部材に外力が加わると、保護部材が外れてしまう場合がある。このため接着剤の塗布量を高精度に制御する必要がある。
【０００５】
本発明は、このような問題に対処することを課題の一例とするものである。すなわち、簡単な構造でスピーカ装置の放音側に保護部材を設ける際にガタツキ音を防止すること、保護部材の装飾性を向上すること、接着剤の塗布量が少ない場合であっても確実に保護部材を固定すること、接着剤の量を低減すること、等が本発明の目的である。
【課題を解決するための手段】
【０００６】
このような目的を達成するために、本発明は、以下の各独立請求項に係る構成を少なくとも具備するものである。
請求項１に記載の発明は、振動板の外周部を支持するとともに当該振動板を駆動するボイスコイルが磁気間隙に配置される磁気回路を内蔵するスピーカフレームと、前記スピーカフレームの放音側に配置される保護部材とを有するスピーカ装置であって、前記保護部材は、リング状又は略円弧状に形成された装飾部材及び保護カバーを有し、前記スピーカフレームと前記保護カバーとが嵌合されるとともに、少なくとも前記装飾部材の一部が、前記スピーカフレームと前記保護カバーの間に狭持されていることを特徴とする。
【０００７】
請求項８に記載の発明は、メインスピーカユニットの放音側にツィータ部を配置したスピーカ装置であって、前記ツィータ部は、振動板の外周部を支持するとともに当該振動板を駆動するボイスコイルが磁気間隙に配置される磁気回路を内蔵するスピーカフレームと、前記スピーカフレームの放音側に配置される保護部材とを備え、前記保護部材は、リング状又は略円弧状に形成された装飾部材及び保護カバーを有し、前記スピーカフレームと前記保護カバーとが嵌合されるとともに、少なくとも前記装飾部材の一部が、前記スピーカフレームと前記保護カバーの間に狭持されていることを特徴とする。
【発明を実施するための最良の形態】
【０００８】
本発明の一実施形態に係るスピーカ装置は、振動板の外周部を支持するとともに当該振動板を駆動するボイスコイルが磁気間隙に配置される磁気回路を内蔵するスピーカフレームと、前記スピーカフレームの放音側に配置される保護部材とを有するスピーカ装置であって、保護部材は、リング状又は略円弧状に形成された装飾部材及び保護カバーを有し、スピーカフレームと保護カバーとが嵌合されるとともに、少なくとも装飾部材の一部が、スピーカフレームと保護カバーの間に狭持されていることを特徴とする。
【０００９】
上記構成のスピーカ装置では、スピーカフレームと保護カバーとが嵌合されるとともに、少なくとも装飾部材の一部が、スピーカフレームと保護カバーの間に狭持する固定機構を備えるので、保護部材とスピーカフレームとが確実に固定される。
また上記構成の固定機構を設けたことにより、簡単な構造でスピーカ装置の放音側に保護部材を設ける際にガタツキ音を防止することができる。
また保護部材に装飾部材を設けたことにより保護部材の装飾性を向上することができる。
また接着剤の塗布量が少ない場合であっても確実に保護部材を固定することができる。また接着剤の量を低減して、接着剤を使用しなくても保護カバーと装飾部材とスピーカフレームとを固定することができる。
以下、本発明の一実施形態に係るスピーカ装置を図面を参照しながら説明する。
【００１０】
図１は本発明の一実施形態に係るスピーカ装置１を説明するための正面図である。図２は図１に示したスピーカ装置１のＡ−Ａ線に沿った断面図である。
本実施形態に係るスピーカ装置１は、図１，図２に示すように、２つのスピーカ装置が同軸上に配置されている。例えば本実施形態に係るスピーカ装置１は、同軸型の２ウェイスピーカであり、背面側に低音再生用のスピーカ装置２、前面側に高音再生用のスピーカ装置（ツィータ部）３が同軸上に配置されている。また本実施形態に係るスピーカ装置３は、スピーカ中心軸に対して所定方向に放音する指向性を備えている。また低音再生用のスピーカ装置２と高音再生用のスピーカ装置３は、支持部材（連結部材）４により連結されており、スピーカ装置３の放音方向を調節可能である。
【００１１】
スピーカ装置１は上記形態に限られるものではなく、単一のスピーカ装置であってもよい。また低音再生用のスピーカ装置２は低音および中音再生が可能なスピーカ装置であってもよいし、高音再生用スピーカ装置３は中音および高音再生が可能なスピーカ装置であってもよい。
【００１２】
［低音再生用のスピーカ装置２］
低音再生用のスピーカ装置２は、図１，図２に示すように、磁気回路２１、および振動系２２を有する。磁気回路２１は、外磁型磁気回路や内磁型磁気回路等を採用することができる。本実施形態に係る磁気回路２１は外磁型磁気回路であり、磁石２１１、ポールピース２１２、およびプレート２１３を有する。磁石２１１は、例えばリング形状に形成されている。磁石２１１は、例えばネオジム系、サマリウム・コバルト系、アルニコ系、フェライト系磁石等の永久磁石等を採用することができる。ポールピース２１２は、図２に示すように、断面形状が略逆Ｔ字形状に形成されている。ポールピース２１２は、例えば図２に示すように、ヨーク２１２ａ、センターポール２１２ｂ、および開口部２１２ｃ，２１２ｄを有する。ヨーク２１２ａは、フランジ形状に形成され、リング形状の磁石２１１の下面側に配置されている。センターポール２１２ｂは円筒形状に形成され、下面側の中心軸近傍に円錐台形状の凹部が形成されている。またセンターポール２１２ｂは、下側に開口部２１２ｃが形成され、上側に開口部２１２ｄが形成され、この開口部２１２ｃ，２１２ｄが中心軸Ｏに沿って貫通している。開口部２１２ｄは、センターポール２１２ｂの略中央部近傍から上側にかけて形成され、開口部２１２ｃはそれより下側にかけて形成されている。開口部２１２ｄの径は、開口部２１２ｃの径より大きく形成されている。開口部２１２ｃ，２１２ｄには支持部材４が貫通している。
【００１３】
リング状のプレート２１３は、リング状の磁石２１１上に配置されている。このプレート２１３の内周部とポールピース２１２の外周部との間に磁気間隙２１０が形成され、この磁気間隙２１０に磁石２１１による磁束が集中している。
【００１４】
振動系２２は、図１，図２に示すように、ボイスコイルボビン２２１、ボイスコイル２２２、振動板２２３、およびダンパ２２５を有する。ボイスコイルボビン２２１は略円筒形状に形成され、下端部にはボイスコイル２２２が巻回されている。またボイスコイルボビン２２１の下端部に巻回されたボイスコイル２２２は、プレート２１３とポールピース２１２との磁気間隙２１０内に配置される。ボイスコイル２２２には、導電線（錦糸線）ＬＮ１が電気的に接続されており、導電線ＬＮ１の他端はフレーム２２４に備えられた端子部２２４ａに電気的に接続されている。振動板２２３は、例えばコーン形状など各種形状に形成されている。振動板２２３の材料としては、例えば紙系、高分子系、金属系などの各種材料を採用することができる。振動板２２３の他端はエッジ部２２３ａを介してフレーム２２４に固定されている。エッジ部２２３ａは、振動板２２３の動きに対して柔軟に動くように形成されている。このエッジ部２２３ａは、例えば振動板２２３の音響的な振動の終端としての機能、振動板２２３の外周部を支持して規定された位置に保持する機能、振動板２２３の横揺れに対して制動する機能、振動板２２３背面側からの音波が前面側の音波に干渉しないように遮蔽する機能などを有する。
【００１５】
ダンパ２２５は、ボイスコイルボビン２２１を中心軸方向に振動自在に支持する。詳細には、ダンパ２２５は、例えば断面波型形状に形成され、外周部がフレーム２２４に固定され、内周部がボイスコイルボビン２２１に固定されている。
【００１６】
一方、フレーム２２４は、スピーカ装置１の振動系２２の各構成要素を支持する機能を有する。詳細にはフレーム２２４は、放音側に向かって開口した形状に形成され、底部２２４ｂがプレート２１３上に配置され、上端部２２４ｃにエッジ部２２３ａが固定されている。またフレーム２２４の略中央部近傍には、ダンパ２２５を支持する平坦部２２４ｄが形成されている。
【００１７】
［支持部材（連結部材）４］
図３は図１に示したスピーカ装置１の支持部材４を説明するための図である。詳細には図３（Ａ）は支持部材４の断面図、図３（Ｂ）は支持部材４の正面図、図３（Ｃ）は回転機構を説明するための図である。
支持部材４は、図３に示すように、低音再生用のスピーカ装置２と高音再生用のスピーカ装置３の間に形成され、低音再生用のスピーカ装置２上に高音再生用のスピーカ装置３を支持する。本実施形態に係る支持部材４は、スピーカ装置３をスピーカ装置２に対して回転自在に支持する回転機構を有する。詳細には、例えば支持部材４の下端部には、ポールピース２１２の開口部２１２ｃ，２１２ｄに嵌合する嵌合部４１が形成されている。また支持部材４の上部にはスピーカ装置３の下部が係合する筒状係合部４２が形成されている。この筒状係合部４２の外周面部にはギヤ部４２１が形成され、筒状係合部４２の内周側には内側に向けて突出した形状のストッパ４２２が形成されている。この筒状係合部４２、およびストッパ４２２を備える回転機構の詳細については後述する。
【００１８】
［高音再生用のスピーカ装置３］
図４は図１に示したスピーカ装置１の高音再生用のスピーカ装置（ツィータ部）３の斜視図である。図５は図１に示したスピーカ装置３の正面図である。図６は図５に示したスピーカ装置３の底面図である。図７は図５に示したスピーカ装置３のＡ−Ａ線に沿った断面図である。図８は図５に示したスピーカ装置３のＢ−Ｂ線に沿った断面図である。図８において磁気回路および振動系は省略している。
【００１９】
高音再生用のスピーカ装置３は、図１，図２，図４〜図８に示すように、磁気回路３１、振動系３２、スピーカフレーム（フレーム）３３、および保護部材３４を有する。磁気回路３１は、外磁型磁気回路や内磁型磁気回路等を採用することができる。本実施形態に係る磁気回路３１は内磁型磁気回路であり、磁石３１１，ヨーク３１２，およびプレート３１３を有する。
スピーカフレーム３３は、本発明に係るスピーカフレーム３３の一実施形態に相当し、保護部材３４は本発明の保護部材の一実施形態に相当する。
磁石３１１は、円板形状に形成されている。磁石３１１は、例えばネオジム系、サマリウム・コバルト系、アルニコ系、フェライト系の永久磁石等を採用することができる。ヨーク３１２は、断面Ｕ字形状に形成され、底面部上に磁石３１１が載置されている。プレート３１３は、リング形状に形成され、磁石３１１上に配置されている。プレート３１３の外周部と、ヨーク３１２の上端内周部との間に磁気間隙（磁気ギャップ）３１０が形成され、この磁気間隙３１０に磁石３１１による磁束が集中している。
【００２０】
振動系３２は、振動板３２１、ボイスコイルボビン３２２、およびボイスコイル３２３を有する。振動板３２１は、中央部がドーム形状に形成され、外周部がコーン形状に形成され、その中間部の背面側にボイスコイルボビン３２２が接合されている。振動板３２１の外周端部はリング状部材３２１ａを介してフレーム３３により支持されている。ボイスコイルボビン３２２に巻回されたボイスコイル３２３は、磁気間隙３１０内に配置されている。またボイスコイル３２３には、図２に示すように、端子部２２４ａから支持部材４，フレーム３３を介して導電線ＬＮ２が電気的に接続されている。
フレーム３３は、中央開口部内に磁気回路３１が配置され、下部３３ａが支持部材４に嵌合し、フレーム３３の前面側に保護部材３４が配置されている。
【００２１】
保護部材３４は、フレーム３３の放音側に配置される。詳細には保護部材３４は振動板３２１の前面側およびフレーム３３の周辺部に形成されている。この保護部材３４は、振動板３２１を保護する機能、振動板３２１からの放射される粗密波の一部を中心軸に対して規定方向に反射する機能を有する。保護部材３４は、詳細には図１，図２，図４〜図８に示すように、装飾部材（飾りリング，リングともいう）３４１、保護カバー（樹脂フランジ）３４２、および網状部材３４３を有する。
【００２２】
装飾部材３４１は本発明に係る装飾部材の一実施形態に相当し、保護カバー（樹脂フランジ）３４２は、本発明に係る保護カバーの一実施形態に相当する。本実施形態に係る装飾部材３４１及び保護カバー３４２は例えばリング状又は略円弧状に形成されている。
また、スピーカ装置３は、上記フレーム３３と保護カバー３４２とが嵌合されるとともに、少なくとも装飾部材３４１の一部が、フレーム３３と保護カバー３４２の間に狭持されている。
以下、フレーム３３および保護部材３４等について図面を参照しながら詳細に説明する。
【００２３】
図９は図１に示したスピーカ装置３のフレーム３３を説明するための図である。図９（Ａ）はフレーム３３の正面図であり、図９（Ｂ）は図９（Ａ）に示したフレーム３３のＡ−Ａ線に沿った断面図であり、図９（Ｃ）は図９（Ａ）に示したフレーム３３の斜視図である。
図１０は保護部材３４の装飾部材３４１を説明するための図である。図１０（Ａ）は装飾部材３４１の正面図であり、図１０（Ｂ）は図１０（Ａ）に示した装飾部材３４１のＡ−Ａ線に沿った断面図であり、図１０（Ｃ）は図１０（Ａ）に示した装飾部材３４１のＢ−Ｂ線に沿った断面図であり、図１０（Ｄ）は装飾部材３４１の斜視図である。
【００２４】
図１１は保護部材３４の保護カバー（樹脂フランジ）３４２を説明するための図である。図１１（Ａ）は保護カバー３４２の正面図であり、図１１（Ｂ）は図１１（Ａ）に示した保護カバー３４２のＡ−Ａ線に沿った断面図であり、図１１（Ｃ）は図１１（Ａ）に示した保護カバー３４２のＢ−Ｂ線に沿った断面図であり、図１１（Ｄ）は図１１（Ａ）に示した保護カバー３４２の背面側からの斜視図である。
図１２はスピーカ装置３の斜視方向の組立図である。図１３はスピーカ装置３のｘ軸に沿った断面組立図である。図１４はスピーカ装置３のｙ軸に沿った断面組立図である。
【００２５】
［フレーム３３］
スピーカフレーム（フレーム）３３は、図６〜図９に示すように、磁気回路３１が配置される凹部３３１ａが形成された胴部３３１と、胴部３３１と一体に成形され弾性を有する押圧片３３２ａが周方向に沿って複数形成された脚部３３２と、胴部３３１の上部に形成されるとともに径方向外側に向かって延出した、振動板３２１の外周部をリング状部材３２１ａを介して支持する第１平坦部３３１ｂと、第１平坦部３３１ｂから外側に形成されるとともに一段前面側に向かって形成された第２平坦部３３３ｆを備えるフランジ部３３３を有する。これら胴部３３１，脚部３３２，フランジ部３３３は、例えば高分子材料、樹脂系材料等の各種材料により一体成形されている。フランジ部３３３の外周部３３３ａには周方向に沿って、全周又は一部に前面側に突出した凸部が形成されている。凸部の前面側先端には、装飾部材３４１が接する平坦部３３３ｂが形成されている。
【００２６】
フレーム３３の脚部３３２は、図２，図３（Ａ）〜（Ｃ）に示すように、支持部材４の筒状係合部４２に回転自在に嵌合するとともに、押圧片３３２ａが筒状係合部４２のギヤ部４２１に圧接することで所定角度に規定することができる。また図５，図６に示すように、脚部３３２には、突出部３３２ｂが形成されており、この突出部３３２ｂが、図３（Ａ）に示した支持部材４のストッパ４２２に係止することで、フレーム３３と支持部材４の相対回転角度の範囲が規定される。
【００２７】
また、フレーム３３は、電極３３４（３３４ａ，３３４ｂ）を有し、電極３３４（３３４ａ，３３４ｂ）の一端部３３４Ａは、図９に示すようにフランジ部３３３の前面側に突出して形成され、他端部３３４Ｂは図６，図７，図９（Ｂ）に示すように、フランジ部３３３の背面側から胴部３３１の外側面に沿って形成されるとともに脚部３３２の略中央部から背面側に突出して形成されている。
【００２８】
フレーム３３のフランジ部３３３には、図６〜図９，図１４に示すように、保護部材３４の位置決めを行うとともに保護部材３４を固定するための嵌合部３５が形成されている。本実施形態に係る嵌合部３５は、図６〜図９，図１４に示すように、複数の嵌合孔部、例えば第１〜第５嵌合孔部３５１〜３５５を有し、フレーム３３のフランジ部３３３に、中心軸Ｏから略同径に形成されている。
【００２９】
詳細には第１嵌合孔部３５１は、中心軸Ｏから規定距離だけ−ｘ軸側の位置に、周方向に沿って角度６０度程度の大きさの略円弧状に形成されている。第２嵌合孔部３５２は、第１嵌合孔部３５１と略同様に、中心軸Ｏから上記規定距離だけ＋ｙ軸側の位置に、略矩形状に形成されている。第３嵌合孔部３５３は、第１嵌合孔部３５１と略同様に、中心軸Ｏから上記規定距離だけ−ｙ軸側の位置に、略矩形状に形成されている。第４，第５嵌合孔部３５４，３５５は、中心軸Ｏから上記規定距離だけ＋ｘ軸に対して斜め方向に規定角度の大きさ、例えば角度４０度程度の大きさの略円弧状に形成されるとともにｘ軸に対して対称に形成されている。
後述するように、フレーム３３の嵌合部３５それぞれに、保護部材３４の保護カバー３４２に形成された係合爪部が嵌合することで、フレーム３３と保護カバー３４２が規定位置に位置決めされて固定して、フレーム３３と保護カバー３４２が装飾部材３４１を狭持する。
【００３０】
［保護部材３４］
本実施形態に係る保護部材３４は、上述したように、装飾部材３４１及び保護カバー３４２を有する。本実施形態ではリング形状又は略円弧形状の装飾部材３４１の内周部近傍を、保護カバー３４２の外周部とフレーム３３により狭持することで、装飾部材３４１を固定する。以下、各構成要素を詳細に説明する。
【００３１】
［装飾部材３４１］
装飾部材３４１は、例えば図１０，図５，図７，図８，図１１〜図１４に示すように、中央部に開口部３４１ａを備えるリング形状又は略円弧形状に形成されている。装飾部材３４１は、例えばアルミニウムや真鍮などの金属材料や、高分子材料、樹脂系材料等の各種材料からなる。本実施形態に係る装飾部材３４１は、アルミニウムなどの金属材料からなる。
また、装飾部材３４１の外側表面には、装飾面が形成されている。この装飾面としては、例えば表面研磨等により形成された光沢面を採用してもよいし、つや消し加工を施してもよいし、規定された塗装剤を塗布して塗装面を採用してもよい。
また装飾部材３４１に例えばアルミニウム等の金属材料を採用することにより、音響特性の安定化、外観が向上する等の効果がある。
【００３２】
本実施態に係る装飾部材３４１は、例えば図１０に示すように略筒状に形成されている。詳細には、装飾部材３４１は、スピーカフレーム３３の外周部３３３ａの放音側上面部（平坦部３３３ｂ）に配置される平坦部３４１Ｂと、当該平坦部３４１Ｂの外周から背面側に屈曲するとともにスピーカフレーム３３の外周部の側面部の全部又は一部を覆う側面部３４１Ａとを備える。つまり装飾部材３４１は、径方向断面形状が逆Ｌ字形状の逆Ｌ字形状部３４１Ｄを有する。
本実施形態に係る装飾部材３４１には、全周のうち一部３４１Ｆに、規定角度範囲で平坦部３４１Ｂが形成されていない。この平坦部３４１Ｂが形成されていない部分３４１Ｆの上部３４１ｂには、後述するように組立時に、保護カバー３４２の屈曲部３４２Ｇが配置される。
また、装飾部材３４１は、フレーム３３の外周に対応した形状に形成され、詳細にはフレーム３３の外周より大きく形成され、フレーム３３のフランジ部３３３の外周を覆うように嵌合する。
【００３３】
［保護カバー３４２］
保護カバー３４２は、例えば図１１，図５〜図８，図１０，図１２〜図１４に示すように、中央部に開口部３４２ａを備えるリング形状又は略円弧形状に形成されている。この開口部３４２ａには、規定方向に湾曲するとともに中心軸Ｏに対して傾斜した傾斜面部３４２ｅが形成された複数の反射部３４２ｄが備えられている。反射部３４２ｄは、スピーカ装置３の振動板３２１から放射された音を反射して、中心軸Ｏに対して所定方向に向けて放音する機能を有する。保護カバー３４２の前面側には、開口部３４２ａから径方向に沿って断面傾斜面部３４２ｂが形成され、外周部近傍には、網状部材３４３が嵌合する凹部３４２ｋが形成されている。
【００３４】
また保護カバー３４２の外周部には、径方向外側に向かって突出するとともに断面逆Ｌ字形状に形成された平坦部３４２ｆを備える突出部３４２Ｆが、全周又は一部に形成されている。この突出部３４２Ｆの平坦部３４２ｆとフレーム３３の外周に形成された外周部３３３ａの平坦部３３３ｂとによりリング状の装飾部材３４１の平坦部３４１Ｂを狭持する。
また、保護カバー３４２の外周部には、複数のリブ３４２Ｒが全周又は全周の一部に形成されている。この保護カバー３４２の外周部に複数リブ３４２Ｒを設けたので、例えばフレーム３３と装飾部材３４１とを接着剤により接着する組立時に、図８に示すように、フランジ部３３３と保護カバー３４２と装飾部材３４１のリブ３４２Ｒとで形成される空間が、余分な接着剤の液溜まり部として機能する。
【００３５】
また本実施形態に係る保護カバー３４２は、外周のうち一部、詳細には、装飾部材３４１の放音側上部から、例えば規定方向側に延出するとともに背面側に向けて屈曲した形状の屈曲部３４２Ｇを備える。
【００３６】
また保護カバー３４２の背面側（裏面）には、図６，図８，図１１〜図１４に示すように、フレーム３３の嵌合部３５と対応する位置に、その嵌合部３５と嵌合する複数の被嵌合部、詳細には背面側に向けて突出した複数の係合爪部、具体的には第１係合爪部３４２Ａ，第２係合爪部３４２Ｂ，第３係合爪部３４２Ｃ，第４係合爪部３４２Ｄ，第５係合爪部３４２Ｅを有する。
【００３７】
第１係合爪部３４２Ａは、第１嵌合孔部３５１と対応する位置に形成され、第１嵌合孔部３５１と嵌合する。第２係合爪部３４２Ｂは、第２嵌合孔部３５２と対応する位置に形成され、第２嵌合孔部３５２と嵌合する。第３係合爪部３４２Ｃは、第３嵌合孔部３５３と対応する位置に形成され、第３嵌合孔部３５３と嵌合する。第４係合爪部３４２Ｄは、第４嵌合孔部３５４と対応する位置に形成され、第４嵌合孔部３５４と嵌合する。第５係合爪部３４２Ｅは、第５嵌合孔部３５５と対応する位置に形成され、第５嵌合孔部３５５と嵌合する。
【００３８】
詳細には、第２係合爪部３４２Ｂ，第３係合爪部３４２Ｃには、先端部が径方向内側に向かって突出したカギ部が形成されており、フレーム３３の第２嵌合孔３５２，第３嵌合孔部３５３に係合する。
上記構成の保護カバー３４２は、例えば高分子材料、樹脂系材料等の各種材料により一体成形されている。
【００３９】
次に、上記構成のスピーカ装置３を組み立てる場合を説明する。
先ず図１２〜図１４に示すように、フレーム３３の胴部３３１に、磁気回路３１および振動系３２を配置し、その上から保護部材３４である装飾部材３４１、保護カバー３４２、網状部材３４３を順に配置する。その際、フレーム３３の外周部にリング状の装飾部材３４１が嵌合するように配置する。
次に、フレーム３３と保護カバー３４２を嵌合するとともに、少なくとも装飾部材３４１の一部を、フレーム３３と保護カバー３４２の間に狭持する。詳細には、フレーム３３の外周部３３３ａの平坦部３３３ｂと、保護カバー３４２の平坦部とにより、装飾部材３４１の平坦部３４１Ｂを狭持するとともに、保護カバー３４２の係合爪部（３４２Ａ〜３４２Ｅ）とスピーカフレームの嵌合孔部（３５１〜３５５）が嵌合する固定機構により、保護部材３４とスピーカフレーム３３が固定される。
【００４０】
詳細には、第１係合爪部３４２Ａは第１嵌合孔部３５１と嵌合し、第２係合爪部３４２Ｂは第２嵌合孔部３５２と嵌合し、第３係合爪部３４２Ｃは第３嵌合孔部３５３と嵌合し、第４係合爪部３４２Ｄは第４嵌合孔部３５４と嵌合し、第５係合爪部３４２Ｅは第５嵌合孔部３５５と嵌合する。
【００４１】
この際、保護カバー３４２の屈曲部３４２Ｇと、フレーム３３の外周部との間に、装飾部材３４１の平坦部３４１Ｂが形成されていない部分３４１Ｆ（３４１Ａ）を狭持する。
【００４２】
以上説明したように、本発明に係るスピーカ装置１は、低音再生用スピーカ装置（メインスピーカユニット）２の放音側に高音再生用のスピーカ装置（ツィータ部）３を配置し、振動板３２１の外周部を支持するとともに振動板３２１を駆動するボイスコイル３２３が磁気間隙３１０に配置される磁気回路３１を内蔵するスピーカフレーム３３と、スピーカフレーム３３の放音側に配置される保護部材３４とを有するスピーカ装置３であって、保護部材３４は、リング状又は略円弧状に形成された装飾部材３４１及び保護カバー３４２を有し、スピーカフレーム３３と保護カバー３４２とが嵌合されるとともに、少なくとも装飾部材３４１の一部が、スピーカフレーム３３と保護カバー３４２の間に狭持されているので、上記構造の固定機構により、装飾部材３４１、保護カバー３４２、及びスピーカフレーム３３が確実に固定される。
【００４３】
詳細には、フレーム３３の外周部３３３ａの平坦部３３３ｂと、保護カバー３４２の平坦部とにより、装飾部材３４１の平坦部３４１Ｂを狭持するとともに、保護カバー３４２の係合爪部（３４２Ａ〜３４２Ｅ）とスピーカフレームの第１嵌合孔部３５１が嵌合する固定機構により、保護部材３４とスピーカフレーム３３を確実に固定することができる。
【００４４】
また、詳細には第１係合爪部３４２Ａは第１嵌合孔部３５１と嵌合し、第２係合爪部３４２Ｂは第２嵌合孔部３５２と嵌合し、第３係合爪部３４２Ｃは第３嵌合孔部３５３と嵌合し、第４係合爪部３４２Ｄは第４嵌合孔部３５４と嵌合し、第５係合爪部３４２Ｅは第５嵌合孔部３５５と嵌合するので、確実に固定することができる。
【００４５】
この際、保護カバー３４２の屈曲部３４２Ｇと、フレーム３３の外周部との間に、装飾部材３４１の平坦部３４１Ｂが形成されていない部分３４１Ｆ（３４１Ａ）を狭持するので、より確実に固定することができる。
【００４６】
また上記構成の固定機構を設けたことにより、簡単な構造でスピーカ装置の放音側に保護部材を設けた場合であっても、ガタツキ音を防止することができる。
また保護部材３４に装飾部材３４１を設けたことにより、保護部材３４の装飾性を向上することができる。
【００４７】
また接着剤の塗布量が少ない場合であっても確実に保護部材を固定することができる。また接着剤の量を低減して、接着剤を使用しなくても保護カバー及び装飾部材とスピーカフレームとを固定することができる。
【００４８】
また、保護カバー３４２の外周部に複数リブ３４２Ｒを設けたので、例えばフレーム３３と装飾部材３４１とを接着剤により接着する組立時に、図８に示すように、フランジ部３３３と保護カバー３４２と装飾部材３４１のリブ３４２Ｒとで形成される空間が、余分な接着剤の液溜まり部として機能して、例えば接着剤の塗布量が規定量より多い場合であっても、接着剤が外観部にはみ出ることが防止される。
【００４９】
なお、本発明は、上述した実施形態に限られるものではない。例えば上述した実施形態を組み合わせて本発明に係るスピーカ装置や磁気回路を実施してもよい。また上述した実施形態では、円形状のスピーカ装置を説明したが、この形態に限られるものではない。例えば本発明に係るスピーカ装置を、略楕円形状、略矩形状、フラット形状等の各種形状のスピーカに採用することもできる。
また、上述した実施形態では、保護部材３４は網状部材３４３を備えたが、網状部材３４３を備えなくともよい。
また、保護部材３４の保護カバー３４２には、反射部３４２ｄが形成されていたが、この形態に限られるものではない。反射部３４２ｄはなくともよい。
【図面の簡単な説明】
【００５０】
【図１】本発明の一実施形態に係るスピーカ装置１を説明するための正面図である。
【図２】図１に示したスピーカ装置１のＡ−Ａ線に沿った断面図である。
【図３】図１に示したスピーカ装置１の支持部材４を説明するための図である。図３（Ａ）は支持部材４の断面図、（Ｂ）は支持部材４の正面図、（Ｃ）は回転機構を説明するための図である。
【図４】図１に示したスピーカ装置１の高音再生用のスピーカ装置（ツィータ部）３の斜視図である。
【図５】図１に示したスピーカ装置３の正面図である。
【図６】図５に示したスピーカ装置３の底面図である。
【図７】図５に示したスピーカ装置３のＡ−Ａ線に沿った断面図である。
【図８】図５に示したスピーカ装置３のＢ−Ｂ線に沿った断面図である。
【図９】図１に示したスピーカ装置３のフレーム３３を説明するための図である。（Ａ）はフレーム３３の正面図であり、（Ｂ）は（Ａ）に示したフレーム３３のＡ−Ａ線に沿った断面図であり、（Ｃ）は（Ａ）に示したフレーム３３の斜視図である。
【図１０】保護部材３４の装飾部材３４１を説明するための図である。（Ａ）は装飾部材３４１の正面図であり、（Ｂ）は（Ａ）に示した装飾部材３４１のＡ−Ａ線に沿った断面図であり、（Ｃ）は（Ａ）に示した装飾部材３４１のＢ−Ｂ線に沿った断面図であり、（Ｄ）は装飾部材３４１の斜視図である。
【図１１】保護部材３４の保護カバー（樹脂フランジ）３４２を説明するための図である。（Ａ）は保護カバー３４２の正面図であり、（Ｂ）は（Ａ）に示した保護カバー３４２のＡ−Ａ線に沿った断面図であり、（Ｃ）は（Ａ）に示した保護カバー３４２のＢ−Ｂ線に沿った断面図であり、（Ｄ）は（Ａ）に示した保護カバー３４２の背面側からの斜視図である。
【図１２】スピーカ装置３の斜視方向の組立図である。
【図１３】スピーカ装置３のｘ軸に沿った断面組立図である。
【図１４】スピーカ装置３のｙ軸に沿った断面組立図である。
【符号の説明】
【００５１】
１  スピーカ装置
２  スピーカ装置（低音再生用）
３  スピーカ装置（高音再生用、ツィータ部）
４  支持部材（連結部材）
２１  磁気回路
２２  振動系
３１  磁気回路
３２  振動系
３３  スピーカフレーム（フレーム）
３４  保護部材
３５  嵌合部
４１  嵌合部
４２  筒状係合部
２１０  磁気間隙
２１１  磁石
２１２  ポールピース
２１２ａ  ヨーク
２１２ｂ  センターポール
２１２ｃ，２１２ｄ  開口部
２１３  プレート
２２１  ボイスコイルボビン
２２２  ボイスコイル
２２３  振動板
２２４  スピーカフレーム（フレーム）
２２４ａ  端子部
２２５  ダンパ
３１０  磁気間隙
３１１  磁石
３１２  ヨーク
３１３  プレート
３２１  振動板
３２２  ボイスコイルボビン
３２３  ボイスコイル
３３１  胴部
３３１ａ  凹部
３３１ｂ  平坦部
３３２  脚部
３３３  フランジ部
３３３ａ  外周部
３３３ｂ  平坦部
３３４，３３４ａ，３３４ｂ  電極
３４１  装飾部材（飾りリング，リング）
３４１Ａ  側面部
３４１Ｂ  平坦部
３４１Ｄ  逆Ｌ字形状部
３４２  保護カバー（樹脂フランジ）
２４２ａ  開口部
３４２ｂ  断面傾斜面部
３４２ｄ  反射部
３４２ｅ  傾斜面部
３４２ｆ  平坦部
３４２Ａ  第１係合爪部
３４２Ｂ  第２係合爪部
３４２Ｃ  第３係合爪部
３４２Ｄ  第４係合爪部
３４２Ｅ  第５係合爪部
３４２Ｆ  突出部
３４２Ｒ  リブ
３４３  網状部材
３５１  第１嵌合孔部
３５２  第２嵌合孔部
３５３  第３嵌合孔部
３５４  第４嵌合孔部
３５５  第５嵌合孔部
４２１  ギヤ部
４２２  ストッパ
【図１】
2007300176.tif 000003
【図２】
2007300176.tif 000004
【図３】
2007300176.tif 000005
【図４】
2007300176.tif 000006
【図５】
2007300176.tif 000007
【図６】
2007300176.tif 000008
【図７】
2007300176.tif 000009
【図８】
2007300176.tif 000010
【図９】
2007300176.tif 000011
【図１０】
2007300176.tif 000012
【図１１】
2007300176.tif 000013
【図１２】
2007300176.tif 000014
【図１３】
2007300176.tif 000015
【図１４】
2007300176.tif 000016